(57)【特許請求の範囲】
【請求項１】
車両の部品に取り付けられる収納容器であって、
前記部品に取り付けられる前壁と、
前記前壁に回動可能に接続され、前記前壁に対して折り畳み可能な底壁と、
前記前壁と前記底壁とに接続された可撓性部材を有する側壁と、
前記底壁に対し前記前壁とは反対側において、回動可能に接続された後壁と、を備え、
前記前壁に対して、前記底壁及び前記後壁を当接させて折り畳んだ状態において、前記前壁の短手方向の長さと、前記底壁及び前記後壁のそれぞれの短手方向の長さの合計とが略等しいことを特徴とする収納容器。
【請求項２】
車両の部品に取り付けられる収納容器であって、
前記部品に取り付けられる第１の壁と、
該第１の壁に回動可能に接続され、前記第１の壁に対して折り畳み可能な第２の壁と、
前記第１の壁と前記第２の壁とに接続された可撓性部材を有する側壁と、を備え、
前記第１の壁又は前記第２の壁の一方には、係合部が一体的に形成されており、他方には、該係合部に係合する被係合部が形成され、
前記第１の壁は、第１のベースと、該第１のベースにおける折り畳み状態において前記第２の壁に対向する面上に取り付けられ、前記第１のベースとの間で前記側壁の第１の端末を挟持する第１のプレートと、を有し、
前記第２の壁は、第２のベースと、該第２のベースにおける前記第１の壁に折り畳み状態において対向する面上に取り付けられ、前記第２のベースとの間で前記側壁の第２の端末を挟持する第２のプレートと、を有し、
前記係合部が前記第１のプレート又は前記第２のプレートの一方に一体的に形成されており、前記被係合部が他方に形成されていることを特徴とする収納容器。
【請求項３】
前記係合部は、凸部から成り、前記第１のプレートと前記第２のプレートのうち薄い方に形成されており、
前記被係合部は、凹部から成り、前記第１のプレートと前記第２のプレートのうち厚い方に形成されていることを特徴とする請求項２に記載の収納容器。
【請求項４】
前記第１のベースと前記第１のプレート、又は前記第２のベースと前記第２のプレートは、前記第１のプレート又は前記第２のプレートの長手方向の両端側にある両端締結部材と該両端締結部材の間にある中間締結部材とから構成される締結部材によって締結されており、
前記係合部又は前記被係合部は、前記中間締結部材の近傍に配置されていることを特徴とする請求項２又は３に記載の収納容器。
【請求項５】
前記側壁は、前記第１のプレート又は前記第２のプレートに一部を固定され、前記第１のプレート又は前記第２のプレートから、前記第１の壁と前記第２の壁と前記側壁とによって形成された収納空間側に引き出されており、
前記締結部材は、前記第１のプレート又は前記第２のプレートにおいて中心よりも前記収納空間側の逆側に配設されていることを特徴とする請求項４に記載の収納容器。
【請求項６】
前記係合部が形成された前記第１のプレート又は前記第２のプレートにおける前記係合部を支持する部分は、周囲に比べて肉厚に形成された肉厚部である請求項２乃至５のいずれか一項に記載の収納容器。
【請求項７】
前記肉厚部は、前記係合部が形成された前記第１のプレート又は前記第２のプレートにおける前記係合部が突出する側の反対側に形成されており、前記第１のベース又は前記第２のベースのいずれか一部に当接して、前記第１のプレート又は前記第２のプレートが前記第１のベース又は前記第２のベースに取り付けられる位置を定める位置決め部として機能することを特徴とする請求項６に記載の収納容器。
【請求項８】
前記第１の壁又は前記第２の壁における前記第１のプレート又は前記第２のプレートによって前記側壁を挟持している部分の近傍には、前記側壁の一部を収容する窪み部が設けられていることを特徴とする請求項２乃至７のいずれか一項に記載の収納容器。
【請求項９】
車両の部品に取り付けられる収納容器であって、
前記部品に取り付けられる第１の壁と、
該第１の壁に回動可能に接続され、前記第１の壁に対して折り畳み可能な第２の壁と、
前記第１の壁と前記第２の壁とに接続された可撓性部材を有する側壁と、
前記側壁に接続され、前記第２の壁に対して折り畳み可能に接続された第３の壁と、を備え、
前記第１の壁又は前記第２の壁の一方には、係合部が一体的に形成されており、他方には、該係合部に係合する被係合部が形成され、
前記第３の壁は、前記第２の壁における前記第１の壁が接続されている側の逆側に回動可能に接続されていることを特徴とする収納容器。
【請求項１０】
前記被係合部は、少なくとも２枚の断片と、該２枚の断片の隙間を閉じる方向に弾性力を付加する金属材料とを備え、
前記係合部は、前記２枚の断片の隙間に挿入されて係合することを特徴とする請求項２乃至９のいずれか一項に記載の収納容器。
【発明の詳細な説明】
【技術分野】
【０００１】
本発明は、収納容器に係り、特に、車両の部品に取り付けられる収納容器に関する。
【背景技術】
【０００２】
車両のシートバックに取り付けられ折り畳み可能な収納容器（荷物箱）については従来から知られている（例えば、特許文献１）。
特許文献１に記載された収納容器においては、底壁が前壁側に折り畳まれた状態で、前壁の一部に形成されたフラップを底壁に被せるように折り曲げることによって、底壁の折り畳み状態を保持している。
【先行技術文献】
【特許文献】
【０００３】
【特許文献１】特開２０１２−２３６５４５号公報
【発明の概要】
【発明が解決しようとする課題】
【０００４】
しかし、特許文献１に示された荷物箱は、フラップを折り曲げることによってのみで折り畳み状態を保持しているため、経年使用することにより、好適に折り畳み状態を維持するのが困難となっていた。
また、折り畳み状態を保持するために別個の締結具を用いるようにすると、使い勝手が悪くなってしまう。
【０００５】
本発明は、上記の課題に鑑みてなされたものであり、本発明の目的は、折り畳み状態を好適に維持可能な収納容器を提供することにある。
【課題を解決するための手段】
【０００６】
前記課題は、本発明に係る収納容器によれば、車両の部品に取り付けられる収納容器であって、前記部品に取り付けられる前壁と、前記前壁に回動可能に接続され、前記前壁に対して折り畳み可能な底壁と、前記前壁と前記底壁とに接続された可撓性部材を有する側壁と、前記底壁に対し前記前壁とは反対側において、回動可能に接続された後壁と、を備え、前記前壁に対して、前記底壁及び前記後壁を当接させて折り畳んだ状態において、前記前壁の短手方向の長さと、前記底壁及び前記後壁のそれぞれの短手方向の長さの合計とが略等しいことにより解決される。
【０００７】
上記構成のように、収納容器が、第１の壁と第２の壁と側壁とを備え、第１の壁又は第２の壁の一方には、係合部が一体的に形成されており、他方には、係合部に係合する被係合部が形成されていることで、係合部と被係合部が係合することで収納容器の折り畳み状態を安定的に維持することができる。
なお、本発明において係合とは、収納容器を折り畳み状態から使用状態に変える際に、抵抗力が生じるように係わり合う関係をいう。
【０００８】
また、前記課題は、車両の部品に取り付けられる収納容器であって、前記部品に取り付けられる第１の壁と、該第１の壁に回動可能に接続され、前記第１の壁に対して折り畳み可能な第２の壁と、前記第１の壁と前記第２の壁とに接続された可撓性部材を有する側壁と、を備え、前記第１の壁又は前記第２の壁の一方には、係合部が一体的に形成されており、他方には、該係合部に係合する被係合部が形成され、前記第１の壁は、第１のベースと、該第１のベースにおける折り畳み状態において前記第２の壁に対向する面上に取り付けられ、前記第１のベースとの間で前記側壁の第１の端末を挟持する第１のプレートと、を有し、前記第２の壁は、第２のベースと、該第２のベースにおける前記第１の壁に折り畳み状態において対向する面上に取り付けられ、前記第２のベースとの間で前記側壁の第２の端末を挟持する第２のプレートと、を有し、前記係合部が前記第１のプレート又は前記第２のプレートの一方に一体的に形成されており、前記被係合部が他方に形成されていることにより解決される。
上記構成によれば、第１のベースと第１のプレートとの間、及び第２のベースと第２のプレートの間に側壁を挟持できるとともに、第１のプレート又は第２のプレートのいずれか一方に係合部、他方に被係合部を形成することで、部品点数の増加を避けることができる。
【０００９】
また、前記係合部は、凸部から成り、前記第１のプレートと前記第２のプレートのうち薄い方に形成されており、前記被係合部は、凹部から成り、前記第１のプレートと前記第２のプレートのうち厚い方に形成されていると好ましい。
上記構成によれば、凸部である係合部近傍の厚みを抑えつつ、凹部である被係合部近傍の強度を確保できる。
【００１０】
更に、前記第１のベースと前記第１のプレート、又は前記第２のベースと前記第２のプレートは、前記第１のプレート又は前記第２のプレートの長手方向の両端側にある両端締結部材と該両端締結部材の間にある中間締結部材とから構成される締結部材によって締結されており、前記係合部又は前記被係合部は、前記中間締結部材の近傍に配置されていると好ましい。
上記構成によれば、中間締結部材の近傍に係合部又は被係合部が配設されていることにより係合部又は被係合部の取付剛性を高めることができる。
【００１１】
また、前記係合部が形成された前記第１のプレート又は前記第２のプレートにおける前記係合部を支持する部分は、周囲に比べて肉厚に形成された肉厚部であると好ましい。
上記構成によれば、係合部を支持する部分が周囲に比べて肉厚に形成されていることで、係合部の剛性を一層高めることができる。
【００１２】
更に、前記肉厚部は、前記係合部が形成された前記第１のプレート又は前記第２のプレートにおける前記係合部が突出する側の反対側に形成されており、前記第１のベース又は前記第２のベースのいずれか一部に当接して、前記第１のプレート又は前記第２のプレートが前記第１のベース又は前記第２のベースに取り付けられる位置を定める位置決め部として機能すると好ましい。
上記構成によれば、肉厚部が、前記第１のプレート又は前記第２のプレートの第１のベース又は第２のベースへの取付位置を定める位置決め部として機能するので、第１のプレート又は第２のプレートを第１のベース又は第２のベースに組み付ける作業が容易となる。
【００１３】
また、前記側壁は、前記第１のプレート又は前記第２のプレートに一部を固定され、前記第１のプレート又は前記第２のプレートから、前記第１の壁と前記第２の壁と前記側壁とによって形成された収納空間側に引き出されており、前記締結部材は、前記第１のプレート又は前記第２のプレートにおいて中心よりも前記収納空間側の逆側に配設されていると好ましい。
上記構成によれば、側壁は、第１のプレート又は第２のプレートに一部を固定され、第１のプレート又は第２プレートから、第１の壁と第２の壁と側壁とによって形成された収納空間側に引き出されており、締結部材が、第１のプレート又は第２のプレートにおいて中心よりも前記収納空間側の逆側に配設されていることで、側壁に締結部材が干渉することを抑制できる。
【００１４】
更に、前記第１の壁又は前記第２の壁における前記第１のプレート又は前記第２のプレートによって前記側壁を挟持している部分の近傍には、前記側壁の一部を収容する窪み部が設けられていると好ましい。
上記構成によれば、窪み部が形成されていることにより、収納容器を折り畳んだ状態において側壁の厚みによって収納容器全体が厚くなることを抑制することができる。
【００１５】
また、前記被係合部は、少なくとも２枚の断片と、該２枚の断片の隙間を閉じる方向に弾性力を付加する金属材料とを備え、前記係合部は、前記２枚の断片の隙間に挿入されて係合すると好ましい。
上記構成によれば、被係合部が弾性を有する金属材料を備えることで、被係合部の弾性変形量が大きくなり、係合部と被係合部との係合強度が大きくなる。
【００１６】
また、前記課題は、本発明に係る収納容器によれば、車両の部品に取り付けられる収納容器であって、前記部品に取り付けられる第１の壁と、該第１の壁に回動可能に接続され、前記第１の壁に対して折り畳み可能な第２の壁と、前記第１の壁と前記第２の壁とに接続された可撓性部材を有する側壁と、前記側壁に接続され、前記第２の壁に対して折り畳み可能に接続された第３の壁と、を備え、前記第１の壁又は前記第２の壁の一方には、係合部が一体的に形成されており、他方には、該係合部に係合する被係合部が形成され、前記側壁に接続され、前記第２の壁に対して折り畳み可能に接続された第３の壁を備え、該第３の壁は、前記第２の壁における前記第１の壁が接続されている側の逆側に回動可能に接続されていることにより解決される。
上記構成によれば、第３の壁を備えることによって、安定的に収納物を保持できるとともに、第１の壁と第２の壁を折り畳むことに伴って、可撓性部材を有する側壁に接続された第３の壁が折り畳まれるため、係合部を被係合部に係合させることのみで、第３の壁の折り畳み状態を維持することができる。
【発明の効果】
【００１７】
本発明によれば、第１のプレート及び第２のプレートによって側壁を挟持できるとともに、折り畳み状態を安定的に維持することができ、係合部及び被係合部が第１のプレート又は第２のプレートから外れることを回避することができる。
また、本発明によれば、凸部である係合部近傍の厚みを抑えつつ、凹部である被係合部近傍の強度を確保できる。
また、本発明によれば、係合部又は被係合部の取付剛性を高めることができる。
また、本発明によれば、係合部が形成された第１のプレート又は第２のプレートを第１のベース又は第２のベースに組み付ける作業が容易となる。
また、本発明によれば、側壁に締結部材が干渉することを抑制できる。
また、本発明によれば、収納容器全体が厚くなることを抑制することができる。
また、本発明によれば、被係合部の弾性変形量が大きくなり、係合部と被係合部との係合強度が大きくなる。
また、本発明によれば、安定的に収納物を保持でき、第１の壁と第２の壁を折り畳むことに伴って、可撓性部材を有する側壁に接続された第３の壁が折り畳まれるため、第３の壁の折り畳み状態を維持することができる。
【図面の簡単な説明】
【００１８】
【図１】本実施形態に係る収納容器を示す後ろ側斜視図である。
【図２】収納容器を折り畳んだ状態を示す側面図である。
【図３】収納容器における図１のIII-III断面を示す図である。
【図４】後壁における図１のIV-IV断面を示す図である。
【図５】前壁における図１のV-V断面を示す図である。
【図６】底壁における図１のVI-VI断面を示す図である。
【図７】底プレートを取り外した状態の収納容器の一部を示す上面図である。
【図８】底プレートを示す斜視図である。
【図９】前プレートを取り外した状態の収納容器の一部を示す背面図である。
【図１０Ａ】他の変形例に係る係合部を示す図であり、係合前段階の状態を示す模式図である。
【図１０Ｂ】他の変形例に係る係合部を示す図であり、中間段階の状態を示す模式図である。
【図１０Ｃ】他の変形例に係る係合部を示す図であり、係合段階の状態を示す模式図である。
【発明を実施するための形態】
【００１９】
本願発明の実施形態に係る収納容器１について、図面を参照して説明する。まず、収納容器１の全体の概略構成について、図１〜図３を参照して説明する。ここで図１は、本実施形態に係る収納容器１を示す後ろ側斜視図、図２は、収納容器１を折り畳んだ状態を示す側面図、図３は、収納容器１における図１のIII-III断面を示す図である。
【００２０】
収納容器１は、車両におけるシートバック、ドアトリム又は荷室の仕切り壁等の図示せぬ部品に取り付けられて、乗員の荷物などを収納するものである。
収納容器１は、部品に取り付けられる前壁２と、前壁２の下側端部に接続された底壁４と、底壁４における前壁２が接続されている側の逆側に接続された後壁３と、から構成される。より具体的には、前壁２は、鉛直方向であるＺ方向から約１０〜３０度だけ後壁３側に傾いた方向（斜め上方向ともいう、以下同じ）に延在している。また、底壁４は、使用状態において下側端部からＹ方向（後ろ方向ともいう、以下同じ）に延在し、後壁３は、斜め上方向に使用状態において底壁４の後ろ側端部から延在している。
【００２１】
なお、図１等に示すＸ方向は、水平面上の一方向、Ｙ方向は、水平面上にありＸ方向に垂直な方向、Ｚ方向は、Ｘ方向及びＹ方向に垂直な方向を指す。また、使用状態とは、収納容器１を使用する状態のことをいい、収納容器１内に物を収納可能なように収納容器１が開かれた状態のことをいう。
【００２２】
前壁２は、本願発明に係る第１の壁に相当し、収納容器１を車内の部品に取り付けるためのものである。前壁２は、樹脂製であり板状である前ベース１１を基礎として構成されている。
前ベース１１は、本発明に係る第１のベースに相当し、部品に取り付けられる部位であり、Ｙ方向に厚みを有し、斜め上方向を短手方向、Ｘ方向を長手方向として延在している。
【００２３】
更に、前壁２は、前ベース１１のＸ方向の両端側において、使用状態においてＹ方向の後述する後壁３側に取り付けられて斜め上方向に延在する前プレート１３を２枚備える。
２枚の前プレート１３は、本発明に係る第１のプレートに相当し、後述する可撓性部材を有する２枚の側壁５のそれぞれの端末を前ベース１１との間で挟持した状態で、締結ネジ１４によって前ベース１１にそれぞれ締結されている。なお、前プレート１３にはネジ穴部１１ｃが形成されており、前ベース１１を挿通する締結ネジ１４によって、前ベース１１と前プレート１３とが固定される。
【００２４】
そして、前壁２の収納空間に面する側における２枚の側壁５の間には、化粧カバー１６が取り付けられている。化粧カバー１６は、車内の部品に取り付けるための取付具を収納空間側から覆って外観を良好にするためのものであり、図示せぬ複数のスナップフィットによって取り付けられている。
【００２５】
底壁４は、本願発明に係る第２の壁に相当し、収納容器１に収納される収納物を下方から支持するためのものである。底壁４は、樹脂製であり板状である底ベース５１を基礎として構成されている。
底ベース５１は、本発明に係る第２のベースに相当し、前ベース１１の下端側に前−底連結部３０を介して一体的に接続されており、使用状態においてＺ方向に厚みを有し、Ｙ方向を短手方向、Ｘ方向を長手方向として延在している。
【００２６】
図２に示す前−底連結部３０は、薄肉ヒンジであり、前ベース１１及び底ベース５１の長手方向（Ｘ方向）の長さと略等しい長さで、前ベース１１と底ベース５１とに一体的に形成されている。
【００２７】
更に、底壁４は、底ベース５１におけるＸ方向の両端側に、使用状態においてＺ方向上側に取り付けられてＹ方向に延在する底プレート５３を２枚備える。
２枚の底プレート５３は、本発明に係る第２のプレートに相当し、後述する可撓性部材を有する２枚の側壁５のそれぞれの端末を底ベース５１との間で挟持した状態で、締結ネジ５４によって底ベース５１にそれぞれ締結されている。更に、底プレート５３には、前壁２側であるＺ方向に突出する係合突起５６が一体的に形成されている。この係合突起５６は、前プレート１３において対応する位置に形成された後述する係合凹部２０と係合して、収納容器１の折り畳まれた状態を保持するものである。
【００２８】
後壁３は、本願発明に係る第３の壁に相当し、収納容器１に収納される収納物を後方から支持するためのものである。後壁３は、樹脂製であり板状である後ベース３１を基礎として構成されている。
後ベース３１は、本発明に係る第３のベースに相当し、底ベース５１のＹ方向後端側に図２に示す底−後連結部７０を介して一体的に接続されており、使用状態においてＹ方向に厚みを有し、Ｚ方向を短手方向、Ｘ方向を長手方向として延在している。
【００２９】
底−後連結部７０は、薄肉ヒンジであり、後ベース３１及び底ベース５１の長手方向（Ｘ方向）の長さと略等しい長さで、後ベース３１と底ベース５１と一体的に形成されている。
【００３０】
更に、後壁３は、後ベース３１におけるＸ方向の両端側に、使用状態において前側に取り付けられて斜め上方向に延在する後プレート３３を２枚備える。
２枚の後プレート３３は、本発明に係る第３のプレートに相当し、後述する可撓性部材を有する２枚の側壁５のそれぞれの端末を後ベース３１との間で挟持した状態で、図３に示す締結ネジ３４によって後ベース３１にそれぞれ締結されている。
【００３１】
側壁５は、収納容器１に収納される収納物を側方（Ｘ方向）から支持するためのものである。側壁５は、樹脂製であり可撓性を有して形成されており、上記のようにその端末を前壁２、後壁３及び底壁４に接続固定されている。
【００３２】
上記のように構成された前ベース１１、後ベース３１、底ベース５１、前−底連結部３０及び底−後連結部７０は、ブロー成形によって一体的に形成されており、生産効率が高められている。このブロー成形によって、前ベース１１に中空部１１ａ、後ベース３１に中空部３１ａ、底ベース５１に中空部５１ａが形成されており、軽量化が図られている。
【００３３】
また、収納容器１を折り畳んだ状態、換言すると、前−底連結部３０を屈曲させて、前壁２と底壁４とが当接する状態であって、底−後連結部７０を屈曲させて、後壁３と底壁４とが当接する状態では、図２に示すように、底プレート５３に前プレート１３と後プレート３３とが当接した状態となる。
そして、後ベース３１のＺ方向長さと、前ベース１１のＺ方向長さの合計は、底ベース５１のＹ方向長さと略等しく形成されていると好ましい。このように形成されていると、図２に示す収納容器１を折り畳んだときに、前ベース１１と後ベース３１とが隣接した状態となるため空間が有効に活用される。
【００３４】
更に、図２に示すように、後ベース３１における後プレート３３に接する面の逆側の外面には外表皮４１が形成され、底ベース５１における底プレート５３に接する面の逆側の外面には外表皮６１が形成されている。
この外表皮４１，６１は、ニードルパンチを原反とし、前ベース１１、後ベース３１及び底ベース５１と共に加熱軟化させて一体的にブロー成形することにより形成されている。
【００３５】
次に、図１〜図３に加え、図４〜図９を参照して、前壁２と底壁４との係合部分に関わる詳細について説明する。ここで、図４は、後壁３における図１のIV-IV断面を示す図、図５は、前壁２における図１のV-V断面を示す図、図６は、底壁４における図１のVI-VI断面を示す図、図７は、底プレート５３を取り外した状態の収納容器１の一部を示す上面図、図８は、底プレート５３を示す斜視図、図９は、前プレート１３を取り外した状態の収納容器１の一部を示す背面図である。
【００３６】
（係合突起５６について）
底プレート５３には、図３及び図６に示すように、使用状態においてＺ方向に突出する係合突起５６が一体的に形成されている。係合突起５６は、本発明に係る係合部及び凸部に相当し、図２に示す折り畳み状態において、前プレート１３に形成された図５に示す係合凹部２０に係合して折り畳み状態を維持すものである。
【００３７】
係合突起５６は、使用状態におけるＸ−Ｚ面においてＺ方向に長軸、Ｘ方向に短軸を有する楕円形状を含み、Ｙ方向に延在している。
係合突起５６は、収納容器１が折り畳まれた状態において、前プレート１３の中央近傍に形成された後述する係合凹部２０に係合する位置に形成されている。
底プレート５３において、係合突起５６が突出している側の逆側、図３においてＺ方向下側には、突出部５３ａが形成されている。突出部５３ａは、本発明に係る肉厚部及び位置決め部に相当し、底プレート５３の剛性を高めるための部位であり、また、後述する図７又は図８を参照して説明する底ベース５１に対する位置決めするための部位である。突出部５３ａは、具体的には、Ｘ方向に厚みを有して、短手側をＺ方向、長手側をＹ方向とする一つの壁に、垂直な二つ壁が所定の間隔を置いて交差する形状を有する。このような形状の突出部５３ａは、軽量で高い剛性を備えるものとなる。
【００３８】
（締結ネジ１４，３４，５４による締結について）
図１及び図３に示すように、前ベース１１のＸ方向両端側に配設された２枚の前プレート１３のそれぞれは、長手方向に配された２本の締結ネジ１４によって板厚方向にねじ止めされている。
また、底ベース５１のＸ方向両端側に配設された２枚の底プレート５３のそれぞれは、長手方向に配された３本の締結ネジ５４によって板厚方向にねじ止めされている。
同様に、後ベース３１のＸ方向両端側に配設された２枚の後プレート３３のそれぞれは、長手方向に配された２本の締結ネジ３４によって板厚方向にねじ止めされている。
【００３９】
そして、前プレート１３、底プレート５３又は後プレート３３におけるそれぞれに通された締結ネジ１４，３４，５４の配置は、Ｘ方向において収納空間側の逆側である。このように、締結ネジ１４，３４，５４が配置されていることにより、前プレート１３、底プレート５３、後プレート３３からＸ方向において収納空間側に引き出された側壁５に干渉することを制限できる。なお、締結ネジ１４，３４，５４と同様に、前プレート１３、後プレート３３におけるそれぞれに形成された係合突起５６又は係合凹部２０の配置も、Ｘ方向において収納空間側の逆側である。
【００４０】
また、前ベース１１における前プレート１３に取り付けられる部分に対向する部位であって、収納空間に面する側には、周囲より低く形成された窪み部１８ｃが形成されており、同様に、底ベース５１における底プレート５３に取り付けられる部分に対向する部位であって、収納空間に面する側には、周囲より低く形成された窪み部５８ｃが形成されており、後ベース３１にも同様に図示せぬ窪み部が形成されている。
このように前ベース１１、後ベース３１及び底ベース５１に窪み部１８ｃ，５８ｃ等が形成されていることで、側壁５の端末部の肉厚の部分を、前ベース１１、後ベース３１及び底ベース５１と、前プレート１３、後プレート３３及び底プレート５３との間に好適に収容できることとなる。
そして、上記のように締結ネジ１４，３４，５４は、前プレート１３、後プレート３３、底プレート５３におけるＸ方向上、収納空間側の逆側に配置されて固定されていることで、窪み部１８ｃ，５８ｃ等によって前ベース１１、後ベース３１又は底ベース５１の薄肉なる部分を避けて、締結ネジ１４，３４，５４を安定して固定できることとなる。
【００４１】
また、底ベース５１を締結する３本の締結ネジ５４のうち、真ん中の１本の締結ネジ５４は、本発明に係る中間締結部材に相当し、係合突起５６の近傍に配設されている。このように配設されていることで、係合突起５６の近傍の剛性が高められ、係合に影響がでることを防止することができる。更に、３本の締結ネジ５４と係合突起５６とは同一直線状にあると好ましい。このように配置されていることで底プレート５３に曲げ応力が生じることを抑制することができる。
【００４２】
（係合凹部２０について）
係合凹部２０は、本発明に係る被係合部及び凹部に相当し、図５に示すように、対向して設けられた２枚の断片２０ａと、断片２０ａに弾性力を付加する弾性材料から成る金属部材である弾性補強部２０ｂと、から構成されている。
２枚の断片２０ａは、係合突起５６を受け入れ可能なように、所定の間隔で離間して形成されている。弾性補強部２０ｂは、断面略Ｃ字状に形成されており、２枚の断片２０ａを覆うように配設されている。弾性補強部２０ｂは、係合突起５６が断片２０ａの隙間に挿入されたときにその隙間を閉じる方向に弾性力を付加する。係合凹部２０は、弾性補強部２０ｂを備えることで、断片２０ａの弾性変形後の復元力が大きくなり、係合突起５６との係合強度が大きくなる。
【００４３】
そして、前ベース１１における前プレート１３が取り付けられる部位には、図５に示すようにＹ方向の前方に突出する前肉厚部１９が形成されている。そして、前ベース１１は、図６に示す底ベース５１の厚さよりも厚く形成されている。このように前肉厚部１９が形成されていることで、前プレート１３の係合凹部２０が前ベース１１側に掘り下げられて形成されていても、前プレート１３の肉厚が確保され、剛性を保つことができる。
【００４４】
（前プレート１３、後プレート３３又は底プレート５３の位置決めについて）
次に、前プレート１３と前ベース１１、後プレート３３と後ベース３１、及び底プレート５３と底ベース５１との取付位置の位置決めについて、図７〜図９を参照して説明する。
【００４５】
底プレート５３には、上記のように、係合突起５６が突出している側の逆側に突出部５３ａが形成されている。このように形成されていることで、係合突起５６が係合凹部２０に係合することで応力の生じやすい部分が肉厚になり、その支持剛性を高めることができる。
更に、底プレート５３の突出部５３ａからＸ方向に所定距離だけ離れた位置に突出部５３ｂが形成されている。突出部５３ｂは、突出部５３ａを水平面において約９０度回転させた形状と略同一形状を有する。
底ベース５１には、底プレート５３が取り付けられたときに突出部５３ａ，５３ｂのそれぞれの位置に対応する位置に位置決め溝５８ａ，５８ｂがそれぞれ形成されている。位置決め溝５８ａ、５８ｂは、突出部５３ａ，５３ｂのそれぞれを収納可能な大きさでそれぞれ形成された略直方体状の溝から成る。
【００４６】
底プレート５３は、突出部５３ａ，５３ｂが位置決め溝５８ａ，５８ｂに嵌る又は当接することによって、底ベース５１の所定の位置に位置決めされる。そして、底ベース５１のネジ穴部５１ｃ，５１ｄ，５１ｅのそれぞれの同心上に、底プレート５３に形成された挿通孔５３ｃ，５３ｄ，５３ｅが位置することとなる。このため、締結ネジ５４を挿通孔５３ｃ，５３ｄ，５３ｅに通してネジ穴部５１ｃ，５１ｄ，５１ｅに留める作業が容易となる。
【００４７】
なお、上記の位置決めは、底ベース５１と底プレート５３との位置決めについて例示したが、後ベース３１と後プレート３３との位置決めについても同様の構成を採用することが可能である。
更には、図３に示すように締結ネジ１４の取付向きの異なる前ベース１１と前プレート１３との位置決めについても同様に可能である。具体的には、図９に示すように、前ベース１１における前プレート１３が取り付けられる部位に、位置決め溝１８ａを形成し、前プレート１３に形成した図示せぬ突出部を嵌める又は当接させるようにする。このようにして、締結ネジ１４の同心上に前プレート１３の図示せぬネジ穴部を位置するようにして位置決めすることができる。
【００４８】
（変形例）
上記実施形態においては、係合凹部２０に係合突起５６を係合させることで、前壁２と底壁４とが折り畳まれた状態を維持するものとして説明したが、本願発明はこの構成に限定されない。
変形例に係る係合突起２６，６６について、図１０を参照して説明する。ここで、図１０Ａは、係合前段階の状態を示す模式図、図１０Ｂは、中間段階の状態を示す模式図、図１０Ｃは、係合段階の状態を示す模式図である。
【００４９】
係合突起２６は、弾性材料から成り、前プレート１３から突出して延在しており、突出側端部２６ａの一部が断面円弧状に形成されている。
同様に係合突起６６は、弾性材料から成り、底プレート５３から突出して延在しており、突出側端部６６ａの一部が断面円弧状に形成されている。
係合突起２６と、係合突起６６は、前壁２と底壁４とを折り畳んだ状態において、突出側端部２６ａの断面円弧状の部位と突出側端部６６ａの断面円弧状の部位とが当接する向きで形成されている。
このように形成された係合突起２６，６６によれば、図１０Ａに示す自然状態から、所定以上の荷重をかけて折り畳むことで、突出側端部２６ａと突出側端部６６ａとが当接して、相互に曲げ応力が加わり図１０Ｂに示す弾性変形状態となり、更に折り畳むことで図１０Ｃに示す自然状態となって係合状態となる。
上記の係合突起２６，６６のように、突起同士の係合によって、前壁２と底壁４の係合を維持するようにしてもよい。
【００５０】
つまり、本発明に係る係合とは、収納容器１２を折り畳み状態から使用状態に変える際に、抵抗力が生じるように係わり合う関係をいう。そして、係合は、係合突起５６と係合凹部２０との係わり合いよるものに限られず、係合突起２６と係合突起６６とによる係わり合いによっても成立する。
【００５１】
上記の実施形態は、本願発明の理解を容易にするための一例に過ぎず、本願発明を限定するものではない。本願発明は、その趣旨を逸脱することなく、変更、改良され得るとともに、本願発明にはその等価物が含まれることは勿論である。
【００５２】
上記実施形態に係る収納容器１は、前壁２、後壁３、底壁４及び側壁５の４つの壁から成る構成であるものとして説明したが、この構成に本願発明は限定されない。
例えば、後壁が無く、前壁、底壁及び側壁から構成されるものとして、前壁と後壁とが開放状態でＶ字状に開くような構成であってもよい。
【００５３】
例えば、上記実施形態においては、底壁４に係合突起５６を配設し、折り畳み時に対向する前壁２に係合突起５６に係合する係合凹部２０を配置するものとして説明したが、両者が係合できればよく、この配置関係は逆であってもよい。
【００５４】
なお、上記実施形態においては、前プレート１３、後プレート３３又は底プレート５３と前ベース１１、後ベース３１又は底ベース５１とは、締結ネジ５４によって固定されると、固定解除が可能となるため側壁５を交換できる等メンテナンス性が良好であるがこれに限定されない。例えば、固定解除を想定しない一点もの等の場合には接着剤によって接着するようにしてもよい。
【００５５】
また、前壁２と後壁３は、斜め上方向に延在するものとして説明した。この方向に延在するものであると、例えば、斜め上方向に延在するシートバックに取り付けるのに好適である。一方、シートバック以外のドアトリム、荷室の仕切り壁等に取り付ける場合には、取付部位の角度に合わせて任意に変更してもよい。更には、前壁２と後壁３は、使用状態時に平行に延出するものに限られず、上側に先細りとなるように異なる角度で延出するものであってもよい。
【００５６】
また、上記実施形態においては、前壁２又は後壁４の１枚の前プレート１３又は１枚の後プレート３３をそれぞれ２つの締結ネジ１４，３４で前ベース１１又は後ベース３１に、底壁４の１枚の底プレート５３を３つの締結ネジ５４で底ベース５１に固定するものとして説明したがこの構成に限定されない。締結ネジ１４，３４，５４の数は、プレート取付の安定性を保つため２個以上が望ましく、それ以上の数は任意である。
【符号の説明】
【００５７】
１  収納容器
２  前壁（第１の壁）
３  後壁（第３の壁）
４  底壁（第２の壁）
５  側壁
１１  前ベース（第１のベース）
１１ａ  中空部
１１ｃ  ネジ穴部
１３  前プレート（第１のプレート）
１４  締結ネジ（締結部材）
１６  化粧カバー
１８ａ  位置決め溝
１８ｃ  窪み部
１９  前肉厚部
２０  係合凹部（被係合部、凹部）
２０ａ  断片
２０ｂ  弾性補強部
２６  係合突起（係合部）
２６ａ  突出側端部
３０  前−底連結部
３１  後ベース（第３のベース）
３１ａ  中空部
３３  後プレート（第３のプレート）
３４  締結ネジ（締結部材）
４１  外表皮
５１  底ベース（第２のベース）
５１ａ  中空部
５１ｃ，５１ｄ，５１ｅ  ネジ穴部
５３  底プレート（第２のプレート）
５３ａ，５３ｂ  突出部（肉厚部、位置決め部）
５３ｃ，５３ｄ，５３ｅ  挿通孔
５４  締結ネジ（締結部材）
５６  係合突起（係合部、凸部）
５８ａ，５８ｂ  位置決め溝
５８ｃ  窪み部
６１  外表皮
６６  係合突起（係合部）
６６ａ  突出側端部
７０  底−後連結部
【図１】
0006348354.tif 000002
【図２】
0006348354.tif 000003
【図３】
0006348354.tif 000004
【図４】
0006348354.tif 000005
【図５】
0006348354.tif 000006
【図６】
0006348354.tif 000007
【図７】
0006348354.tif 000008
【図８】
0006348354.tif 000009
【図９】
0006348354.tif 000010
【図１０Ａ】
0006348354.tif 000011
【図１０Ｂ】
0006348354.tif 000012
【図１０Ｃ】
0006348354.tif 000013